【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
ユーザからの所定の操作を受け付ける受付手段と、
第一のレイアウトで表示アイテムが表示される第一の画面と、前記第一の画面において表示される表示アイテムを少なくとも１つ含み、前記第一のレイアウトと異なるサイズで表示アイテムが表示される第二のレイアウトで表示アイテムが表示される第二の画面とを切替える切替手段と、
前記切替手段によって前記第一の画面から前記第二の画面に切替えるための所定の操作の操作途中においては、前記表示アイテムの大きさを変化させずに、前記第一の画面と前記第二の画面とを重畳して表示し、前記所定の操作の完了に応じて、前記第一の画面と前記第二の画面とを重畳せずに、前記第二の画面を表示するように制御する表示制御手段とを有することを特徴とする表示制御装置。
【請求項２】
前記第一の画面には、第一の大きさの表示アイテムが第一の数表示されており、前記第二の画面には、第一の大きさと異なる第二の大きさの表示アイテムが前記第一の数と異なる第二の数表示されていることを特徴とする請求項１に記載の表示制御装置。
【請求項３】
前記所定の操作の操作途中においては、前記第一の画面の前記表示アイテムは、前記所定の操作が開始される前よりも薄く表示されることを特徴とする請求項１または２に記載の表示制御装置。
【請求項４】
前記所定の操作の操作途中においては、前記第一の画面の前記表示アイテムは、前記所定の操作が開始される前よりも透過度が高く表示されることを特徴とする請求項１乃至３の何れか１項に記載の表示制御装置。
【請求項５】
前記所定の操作の操作途中においては、前記第二の画面の前記表示アイテムは、前記所定の操作の完了後よりも薄く表示されることを特徴とする請求項１乃至４の何れか１項に記載の表示制御装置。
【請求項６】
前記所定の操作の操作途中においては、前記第二の画面の前記表示アイテムは、前記所定の操作の完了後よりも透過度が高く表示されることを特徴とする請求項１乃至５の何れか１項に記載の表示制御装置。
【請求項７】
前記第一の大きさが前記第二の大きさよりも大きく、前記第一の数の方は前記第二の数よりも少ない数であることを特徴とする請求項２項に記載の表示制御装置。
【請求項８】
前記所定の操作が完了するまでの前記所定の操作の操作量に応じて、前記第一の画面の前記表示アイテムの透過度を高くすることを特徴とする請求項１乃至７の何れか１項に記載の表示制御装置。
【請求項９】
前記所定の操作が完了するまでの前記所定の操作の操作量に応じて、前記第二の画面の前記表示アイテムの透過度を低くすることを特徴とする請求項１乃至８の何れか１項に記載の表示制御装置。
【請求項１０】
前記切替手段は、前記第一の画面から前記第二の画面に切替えた前記所定の操作に続いて開始された次の前記所定の操作が完了したことに応じて、さらに前記第二の画面から前記表示アイテムが第三のレイアウトで表示される第三の画面に切替えることを特徴とする請求項１乃至９の何れか１項に記載の表示制御装置。
【請求項１１】
タッチパネルへのタッチ操作を検出するタッチ検出手段をさらに有し、
前記所定の操作は、前記タッチパネルへタッチした二点間の距離が変わるように操作するピンチであることを特徴とする請求項１乃至１０の何れか１項に記載の表示制御装置。
【請求項１２】
前記ピンチにおけるタッチした二点間の距離が狭まるように操作がされたことにより、表示部に表示される前記表示アイテムの数が増え、前記二点間の距離が広がるように操作がされたことにより、前記表示部に表示される前記表示アイテムの数が減ることを特徴とする請求項１１に記載の表示制御装置。
【請求項１３】
前記表示アイテムは、再生画像であることを特徴とすることを特徴とする請求項１乃至１２の何れか１項に記載の表示制御装置。
【請求項１４】
前記第一の画面と前記第二の画面とでは、前記表示アイテムのレイアウトが異なることを特徴とする請求項１乃至１３の何れか１項に記載の表示制御装置。
【請求項１５】
前記表示制御手段は、前記切替手段により１つの前記表示アイテムが表示される第四の画面から前記第一の画面へと切替える際には、前記所定の操作の操作量に応じて前記第四の画面の前記表示アイテムの大きさを小さくすると共に、前記第一の画面の前記第一の表示アイテムと前記第四の画面の前記表示アイテムとを重畳して表示するように制御することを特徴とする請求項１乃至１４の何れか１項に記載の表示制御装置。
【請求項１６】
前記表示制御手段は、前記切替手段により前記第一の画面から１つの前記表示アイテムが表示される第四の画面へと切替える際には、前記所定の操作の操作量に応じて前記第一の画面の前記表示アイテムの大きさを大きくすると共に、前記第一の画面の前記表示アイテムと前記第四の画面の前記表示アイテムとを重畳して表示するように制御することを特徴とする請求項１乃至１５の何れか１項に記載の表示制御装置。
【請求項１７】
前記切替手段は、前記第一の画面が表示されている際に開始された前記所定の操作が完了する前に、前記所定の操作が中断されると、前記所定の操作が中断されてから所定時間経過後に前記第二の画面に切替えることを特徴とする請求項１乃至１６の何れか１項に記載の表示制御装置。
【請求項１８】
前記表示制御手段は、前記切替手段によって前記第一の画面から前記第二の画面に切替えるための前記所定の操作の操作途中において、前記第一の画面に含まれる前記表示アイテムの大きさは前記所定の操作が開始される前から変わらず、前記第二の画面に含まれる前記表示アイテムの大きさは前記所定の操作が完了した後と変わらずに表示するように制御することを特徴とする請求項１乃至１７の何れか１項に記載の表示制御装置。
【請求項１９】
ユーザからの所定の操作を受け付ける受付ステップと、
第一のレイアウトで表示アイテムが表示される第一の画面と、前記第一の画面において表示アイテムを少なくとも１つ含み、前記第一のレイアウトと異なるサイズで表示アイテムが表示される第二のレイアウトで表示アイテムが表示される第二の画面とを切替える切替ステップと、
前記第一の画面から前記第二の画面に切替えるための所定の操作の操作途中においては、前記表示アイテムの大きさを変化させずに、前記第一の画面と前記第二の画面とを重畳して表示し、
前記所定の操作の完了に応じて、前記第一の画面と前記第二の画面とを重畳せずに、前記第二の画面を表示するように制御する表示制御ステップとを有することを特徴とする表示制御装置の制御方法。
【請求項２０】
コンピュータを、請求項１乃至１８のいずれか１項に記載された表示制御装置の各手段として機能させるためのプログラム。
【請求項２１】
コンピュータを、請求項１乃至１８のいずれか１項に記載された表示制御装置の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
上記目的を達成するために、本発明の表示制御装置は、
ユーザからの所定の操作を受け付ける受付手段と、第一のレイアウトで表示アイテムが表示される第一の画面と、第一の画面において表示される表示アイテムを少なくとも１つ含み、第一のレイアウトと異なるサイズで表示アイテムが表示される第二のレイアウトで表示アイテムが表示される第二の画面とを切替える切替手段と、切替手段によって第一の画面から第二の画面に切替えるための所定の操作の操作途中においては、表示アイテムの大きさを変化させずに、第一の画面と第二の画面とを重畳して表示し、所定の操作の完了に応じて、第一の画面と第二の画面とを重畳せずに、第二の画面を表示するように制御する表示制御手段とを有することを特徴とする。